(57)【要約】【課題】カバーに光ムラが生じることを抑制した照明器具を提供すること。【解決手段】照明器具は、基板部と、基板部に配置された発光部とを有する発光基板と、発光基板を覆うと共に、板部と、発光部と対向し板部から突出するレンズとを有するレンズユニットと、基板部に形成された貫通孔から突出して、発光基板とレンズユニットとの間に配置され、発光基板に電力を供給する電線と、レンズユニットを覆うカバーと、を備え、板部は、貫通孔と対向する位置において、レンズが配置されている側と反対側の面からカバー側に膨出する膨出部を有し、電線は、膨出部内に配置されているものである。【選択図】図８
2019133754.tif 000002
【特許請求の範囲】
【請求項１】
基板部と、前記基板部に配置された発光部とを有する発光基板と、
前記発光基板を覆うと共に、板部と、前記発光部と対向し前記板部から突出するレンズとを有するレンズユニットと、
前記基板部に形成された貫通孔から突出して、前記発光基板と前記レンズユニットとの間に配置され、前記発光基板に電力を供給する電線と、
前記レンズユニットを覆うカバーと、
を備え、
前記板部は、前記貫通孔と対向する位置において、前記レンズが配置されている側と反対側の面から前記カバー側に膨出する膨出部を有し、
前記電線は、前記膨出部内に配置されている照明器具。
【請求項２】
前記膨出部は、前記板部の表面部と、前記膨出部の先端に位置する底面部との前記カバー側の接続面は曲面状に形成されている請求項１に記載の照明器具。
【請求項３】
前記膨出部は、前記板部に鉛直な断面形状において、前記板部の表面部と、前記膨出部の先端に位置する底面部との間に位置する角部がＲ形状に形成されている請求項１に記載の照明器具。
【請求項４】
前記膨出部は、前記カバー側から見た平面視において、多角形状に形成されており、前記膨出部の外縁を形成する各辺が接する角部は、Ｒ形状に形成されている請求項１〜３のいずれか１項に記載の照明器具。
【請求項５】
前記貫通孔に配置されて、前記電線を前記基板部に固定するケーブルブッシュを更に有し、
前記発光基板の側から見た平面視において、前記ケーブルブッシュは、前記膨出部内に配置されている請求項１〜４のいずれか１項に記載の照明器具。
【発明の詳細な説明】
【技術分野】
【０００１】
本発明は、レンズユニットを備えた照明器具に関するものである。
【背景技術】
【０００２】
従来より、ＬＥＤ（light‐emitting diode）を光源とする照明器具において、レンズなどの配光制御部材を用いてＬＥＤの配光を制御しているものがある。例えば、ＬＥＤが実装された基板と、この基板が取り付けられる放熱部材と、ＬＥＤの配光を制御するための配光制御部材とを備えている照明器具が提案されている（特許文献１参照）。この照明器具は、配光制御部材がねじにより放熱部材に取り付けられている。
【先行技術文献】
【特許文献】
【０００３】
【特許文献１】特開２０１３−２４３０３３号公報
【発明の概要】
【発明が解決しようとする課題】
【０００４】
特許文献１の照明器具は、配光制御部材を覆うカバーを備えている。照明器具は、このカバーを配光制御部材に近接して配置すると、基板の電線、あるいは、電線を保持する部材がカバーにうつり込み、カバーに光ムラが生じてしまうおそれがある。
【０００５】
本発明は、上記のような課題を解決するためのものであり、カバーに光ムラが生じることを抑制した照明器具を提供するものである。
【課題を解決するための手段】
【０００６】
本発明に係る照明器具は、基板部と、基板部に配置された発光部とを有する発光基板と、発光基板を覆うと共に、板部と、発光部と対向し板部から突出するレンズとを有するレンズユニットと、基板部に形成された貫通孔から突出して、発光基板とレンズユニットとの間に配置され、発光基板に電力を供給する電線と、レンズユニットを覆うカバーと、を備え、板部は、貫通孔と対向する位置において、レンズが配置されている側と反対側の面からカバー側に膨出する膨出部を有し、電線は、膨出部内に配置されているものである。
【発明の効果】
【０００７】
本発明の照明器具は、板部が、貫通孔と対向する位置において、レンズが配置されている側と反対側の面からカバー側に膨出する膨出部を有し、電線が、膨出部内に配置されているものである。膨出部は、電線を収容して覆うことで、電線はレンズの上に配置されず、電線がカバーに影となってあらわれないように、また透けてみえないように電線の存在を隠している。その結果、照明器具は、カバーに光ムラが生じることを抑制することができる。
【図面の簡単な説明】
【０００８】
【図１】本発明の実施の形態１における照明器具の斜視図である。
【図２】本発明の実施の形態１における照明器具のカバー及びレンズユニットを外した分解斜視図である。
【図３】本発明の実施の形態１における照明器具の主な構成を外した分解斜視図である。
【図４】本発明の実施の形態１における照明器具のレンズユニットの平面図である。
【図５】図４のレンズユニットの概略側面図である。
【図６】図４のレンズユニットの分解された垂直方向の部分断面図である。
【図７】図４のレンズユニットの組立された垂直方向の部分断面図である。
【図８】図４に示すレンズユニットのＡ−Ａ線部分における、発光基板、ブッシュ、レンズユニット及びヒートシンクの断面図である。
【発明を実施するための形態】
【０００９】
以下、本発明の実施の形態に係る照明器具１について、図面を参照しながら説明する。なお、図１を含む以下の図面では、各構成部材の相対的な寸法の関係及び形状等が実際のものとは異なる場合がある。また、以下の図面において、同一の符号を付したものは、同一又はこれに相当するものであり、このことは明細書の全文において共通することとする。また、理解を容易にするために方向あるいは位置を表す用語（例えば「上」、「下」、「右」、「左」、「前」、「後」など）を適宜用いる。しかし、これらの表記は、説明の便宜上、そのように記載しているだけであって、装置あるいは部品の配置及び向きを限定するものではない。なお、以下に説明する各図において、Ｚ軸は上下方向を示し、Ｘ軸は、左右方向すなわち横方向を示し、Ｙ軸は、前後方向すなわち奥行方向を示す。Ｘ軸、Ｙ軸、Ｚ軸は、直交しており、Ｘ軸と、Ｙ軸とは水平方向であり、Ｚ軸は垂直方向である。
【００１０】
実施の形態１．
図１は、本発明の実施の形態１における照明器具１の斜視図である。図２は、本発明の実施の形態１における照明器具１のカバー９０及びレンズユニット８０を外した分解斜視図である。図３は、本発明の実施の形態１における照明器具１の主な構成を外した分解斜視図である。まず、図１〜図３を参照して、本発明の実施の形態１に係る照明器具１の全体構成を説明する。
【００１１】
［照明器具１］
照明器具１は、体育館などの高い天井を有する空間に使用される照明装置であるが、ダウンライトあるいはシステム天井などに用いられる照明装置でもよい。照明器具１は、図１に示すようにアーム１０と、天板２０と、電源装置３０と、支柱枠組４０と、ヒートシンク５０と、落下防止ワイヤー６０とを備えている。また、照明器具１は、図２及び図３に示すように、発光基板７０と、レンズユニット８０と、カバー９０とを備えている。さらに、照明器具１は、電源装置３０と発光基板７０とを接続する電線３２と、電線３２を発光基板７０に固定するケーブルブッシュ７４と、発光基板７０及びレンズユニット８０をヒートシンク５０に固定する固定部材８７とを備えている。
【００１２】
（アーム１０）
アーム１０は、照明器具１を、天井又は梁に取り付けるものである。アーム１０は、逆Ｕ字形状をしており、照明器具１の左右方向（Ｘ軸方向）に延設され、天井などの被取付部に当接する固定面部１１と、固定面部１１の両端より同一方向に延設された支持部１２とを有している。固定面部１１には、吊ボルトなどの固定具が挿し込まれる固定孔１１ａが形成されている。支持部１２は、照明器具１の左右方向（Ｘ軸方向）両側面において、前後方向（Ｙ軸方向）の中央に取り付けられている。図１及び図３に示すように、支持部１２の先端部１２ａには、上下に軸穴１２ｂと弧状穴１２ｃとが形成されている。支持部１２は、軸穴１２ｂと弧状穴１２ｃとに挿通されたボルト等の固定具によって、支柱枠組４０を摺動自在に支持する。
【００１３】
（天板２０）
天板２０は、図３に示すように、板状の主板部２１と、主板部２１の側辺より下方向（Ｚ軸方向）へ突設した立上部２２とを有している。天板２０は、ヒートシンク５０への埃などの蓄積を抑制する。天板２０は、支柱枠組４０の上端に固定されている。天板２０は、ヒートシンク５０からの放熱が十分に行えるように、ヒートシンク５０との距離を設けて設置されている。天板２０は、金属製材料で形成されているが、天板２０を形成する素材は、例えば樹脂製材料等他の素材であってもよく、金属製材料に限定されるものではない。
【００１４】
主板部２１は、平板状に形成されており、アーム１０の固定面部１１側から見た平面視で、矩形状に形成されている。天板２０の主板部２１には、図３に示すように、電源装置３０からの電線３２が挿通される天板電源孔２１ａが形成されている。天板２０は、主板部２１の上面中央部に電源装置３０を載せており、電源装置３０は主板部２１に固定されている。立上部２２は、主板部２１の外周の端部からスカート状に垂れた板である。立上部２２は、天板２０の強度補強のために設けられている。立上部２２は、天板２０の角に沿って直角に曲げられ、天板２０の角の下方をカバーしている。立上部２２は、支柱枠組４０の上端の外面を覆っている。
【００１５】
（電源装置３０）
電源装置３０は、図２及び図３に示すように、箱状のケース３１と、ケース３１に内蔵された電源回路（図示なし）とを有している。電源装置３０は、商用電源から供給された電力を内蔵された電源回路で変換し、発光基板７０に電力を供給する。電源装置３０は、図３に示すように、電線３２と接続されており、この電線３２を介して発光基板７０に電力を供給する。ケース３１は、箱状の金属製材料で形成されているが、ケース３１を形成する素材は、例えば樹脂製材料等他の素材であってもよく、金属製材料に限定されるものではない。また、ケース３１は、図１〜図３では矩形の箱状に形成されているが、例えば、円柱形等他の形状に形成されてもよい。
【００１６】
（支柱枠組４０）
支柱枠組４０は、図２及び図３に示すように、照明器具１の前後方向（Ｙ軸方向）の側面視においてＨ型に形成された、２つのＨ型支柱４１を有している。Ｈ型支柱４１は、照明器具１の前後方向（Ｙ軸方向）の両端部に配置されている。また、支柱枠組４０は、対向する２つのＨ型支柱４１の間に配設された中間支柱４２を有している。中間支柱４２は、上下方向（Ｚ軸方向）に延びる矩形状の板材である。中間支柱４２は、照明器具１の前後方向（Ｙ軸方向）の中央部分に配置されており、照明器具１の左右方向（Ｘ軸方向）において、左右の両端部にそれぞれ１つずつ配置されている。中間支柱４２には、アーム１０が取り付けられている。中間支柱４２と、アーム１０とは、アーム１０に形成されている軸穴１２ｂと弧状穴１２ｃとに挿通された固定具によって、摺動自在に固定されている。また、中間支柱４２の下端部には、図３に示すように、カバー９０を保持するカバー保持部４２ａが設けられている。また、中間支柱４２の上端部には、天板２０の主板部２１に保持される天板保持部４２ｂが設けられている。支柱枠組４０の上面は、天板２０で覆われており、支柱枠組４０の下面は、カバー９０で覆われている。支柱枠組４０で囲まれた空間内には、ヒートシンク５０が収納されている。支柱枠組４０は、金属製材料で形成されているが、支柱枠組４０を形成する素材は、例えば樹脂製材料等他の素材であってもよく、金属製材料に限定されるものではない。
【００１７】
（ヒートシンク５０）
ヒートシンク５０は、図２及び図３に示すように、複数の放熱フィン５１と、複数の放熱フィン５１が取り付けられたベース５２とを備えている。ベース５２の放熱フィン５１が設けられる面と反対側の面には、発光基板７０が取り付けられる。ベース５２には、発光基板７０を固定するためのベース固定孔５２ａと、電源装置３０から発光基板７０に電気を供給する為の電線３２が挿通されるベース電源孔５２ｂとが形成されている。このヒートシンク５０は、金属製材料で形成されている。ヒートシンク５０の上方は、天板２０で覆われている。
【００１８】
（落下防止ワイヤー６０）
落下防止ワイヤー６０は、照明器具１の落下を防止するものである。落下防止ワイヤー６０は、図１〜図３に示すように、紐状のワイヤー６１と、被取付部に固定される取付部６２とを有する。ワイヤー６１の一端は中間支柱４２に連結され、ワイヤー６１の他端は取付部６２に連結される。
【００１９】
（発光基板７０）
発光基板７０は、図２及び図３に示すように、レンズユニット８０と、ヒートシンク５０との間に配置されている。より詳細には、発光基板７０は、レンズユニット８０のレンズ８２と、ヒートシンク５０のベース５２との間に配置されている。発光基板７０は、複数の発光部７１と、複数の発光部７１が配置された基板部７２と、電線３２が接続されるコネクタ７３とを備えている。発光部７１は、例えばＬＥＤ（light‐emitting diode）であり、レンズを備えたＳＭＤ（Surface Mount Device）パッケージの発光素子である。レンズを備えたＳＭＤパッケージは、点光源に近い発光を行うことができ、レンズユニット８０による配光制御を行い易くできる。基板部７２の上面全体は、ヒートシンク５０の下面に、面接触している。基板部７２の下面には、複数の発光部７１と、コネクタ７３とが配設されている。基板部７２には、ヒートシンク５０に基板部７２を固定するための１つ以上の固定孔７２ａと、電線３２が挿通される少なくとも１つの貫通孔７２ｂとが形成されている。なお、固定孔７２ａの開口の直径は、後述する固定部材８７の第一固定部８７ａの直径以上の大きさであり、かつ、第二固定部８７ｂの直径未満の大きさである。コネクタ７３は、貫通孔７２ｂの付近に実装されている。
【００２０】
（レンズユニット８０）
図４は、本発明の実施の形態１における照明器具１のレンズユニット８０の平面図である。図５は、図４のレンズユニット８０の概略側面図である。図２〜図５を用いてレンズユニット８０について説明する。レンズユニット８０は、発光基板７０の発光部７１から発光される光の配光を制御するものである。レンズユニット８０は、図２及び図３に示すように、ヒートシンク５０のベース５２に固定された発光基板７０を覆うように取り付けられている。レンズユニット８０は樹脂あるいはガラスなどの光透過性を有している材料で形成されている。また、レンズユニット８０は、内部に拡散材料が混ざっている材料で成型されてもよい。レンズユニット８０は、図４及び図５に示すように、板状の板部８１と、発光部７１と対向し板部８１から突出した複数のレンズ８２と、レンズユニット８０をヒートシンク５０に固定する為のレンズ固定部８３と、を有する。また、レンズユニット８０は、板部８１において複数のレンズ８２の間から突出する突設部８４と、板部８１の四隅の角からレンズ８２と同じ方向に突出した脚部８５と、板部８１からレンズ８２と反対方向に膨出した膨出部８６とを備えている。
【００２１】
板部８１は、平面視で発光基板７０の基板部７２と略同じサイズに形成されている。板部８１は、固定部材８７が固定されるレンズ固定部８３を有する。板部８１には、発光基板７０に設けられた各発光部７１に対応するように複数のレンズ８２が設けられ、固定孔７２ａに対応するようにレンズ固定部８３が設けられ、貫通孔７２ｂに対向するように膨出部８６が設けられている。
【００２２】
図６は、図４のレンズユニット８０の分解された垂直方向の部分断面図である。図７は、図４のレンズユニット８０の組立された垂直方向の部分断面図である。レンズ８２は、発光部７１から照射される光が所定の方向へ進むように光の向きを制御するものである。また、レンズ８２の光学特性は、天井などの被取付部に取り付けられたときに配光制御ができるように形成されている。レンズ８２は、板部８１から、発光基板７０側に突出している。レンズ８２の形状は、円錐台の形状であり、円錐台の外周壁を形成する斜面は、板部８１に対する直角方向の断面において、仮想の上底部分と下底部分との間で緩やかな弧を描くように形成されている。レンズ８２は、レンズ８２の突出方向の先端部８２ｂ１に非貫通孔である凹部８２ａが形成されている。レンズ８２は、図４に示すように、発光基板７０側から見た平面視において円形状に形成されており、レンズ８２の中央部分に凹部８２ａが形成されている。凹部８２ａは、図６及び図７に示すように、レンズ８２の垂直方向の断面において、発光基板７０側の先端部８２ｂ１と、板部８１側の基部８２ｂ２との間で凹むように形成されている。レンズ８２は、凹部８２ａを有しており、先端部８２ｂ１が開口しており、凹部８２ａの底面部８２ｃは平坦状に形成されている。また、凹部８２ａを構成するレンズ８２の内周側の側壁は、図６に示すように、板部８１に対して直角方向に延びる中心軸Ｃに対して角度の異なる二つの斜面から形成されている。レンズ８２の内周側の側壁を構成する第一入光面８２ａ１は、レンズ８２の先端部８２ｂ１から中間部８２ｂ３にかけて形成されている側壁である。また、レンズ８２の内周側の側壁を構成する第二入光面８２ａ２は、中間部８２ｂ３から基部８２ｂ２にかけて形成されている側壁である。第一入光面８２ａ１の上端部は、レンズ８２の開口端であり、第一入光面８２ａ１の下端部は、第二入光面８２ａ２の上端部と連続している。そして、第二入光面８２ａ２の下端部は、凹部８２ａの底面部８２ｃと連続している。レンズ８２は、レンズ８２に鉛直な断面形状において、レンズ８２の中心軸Ｃに対する入光面の角度が、第一入光面８２ａ１の角度θ１よりも、第二入光面８２ａ２の角度θ２方が小さい。そのため、先端部８２ｂ１側の第一入光面８２ａ１は、基部８２ｂ２側の第二入光面８２ａ２よりも板部８１に対して緩やかな角度の斜面を形成している。すなわち、凹部８２ａは、先端部８２ｂ１から中間部８２ｂ３にかけて開口の直径が小さくなっており、また、中間部８２ｂ３から基部８２ｂ２にかけて開口の直径が小さくなっている。そして、凹部８２ａは、斜度の異なる二つの環状の入光面を形成しており、先端部８２ｂ１から中間部８２ｂ３にかけて開口の直径が小さくなる割合が、中間部８２ｂ３から基部８２ｂ２にかけて開口の直径が小さくなる割合よりも大きい。なお、中間部８２ｂ３とは、照明器具１の垂直方向（Ｚ軸方向）において、先端部８２ｂ１と基部８２ｂ２との間の略中央部分である。図７に示すように、発光基板７０とレンズユニット８０とを組み合わせた状態では、レンズ８２の凹部８２ａ内に発光部７１が配置される。レンズ８２は、レンズユニット８０及び発光基板７０が固��部材８７によりヒートシンク５０に取り付けられると、第一入光面８２ａ１及び第二入光面８２ａ２が発光部７１と干渉しないように配設されている。なお、レンズユニット８０は、隣接した複数のレンズ８２を有しているが、レンズ８２が１つだけでもよい。
【００２３】
レンズ固定部８３は、板部８１において、レンズ８２が配置されている側と反対側の面に開口が形成された第一筒孔部８３ｂ１を有する。また、レンズ固定部８３は、板部８１に形成された第一筒孔部８３ｂ１と連通して板部８１を貫通する第二筒孔部８３ｂ２を形成する円筒部８３ａを有する。円筒部８３ａは、板部８１において、レンズ８２が配置されている側の面から突出すると共に、円筒形状に形成されている。円筒部８３ａは、図６及び図７に示すように、板部８１に対して直角方向に突出し、板部８１の表面からレンズ８２と同じ方向へ突出する。円筒部８３ａの板部８１に対する直角方向の突出長さは、レンズ８２の板部８１に対する直角方向の突出長さよりも大きい。第一筒孔部８３ｂ１の開口の直径は、第二筒孔部８３ｂ２の開口の直径よりも大きく形成されている。レンズ固定部８３は、図４に示すように、発光基板７０側からみた平面視で、板部８１の前後方向（Ｙ軸方向）に４列に配置され、板部８１の左右方向（Ｘ軸方向）に２列に配置されており、各列の交点に形成されている。そのため、レンズ固定部８３は、レンズユニット８０に８箇所形成されている。ただし、レンズ固定部８３の形成数は、レンズユニット８０の大きさなどによって異なり、７箇所以下であってもよく、９箇所以上であってもよい。同様に、レンズ固定部８３が配置される列数は、板部８１の前後方向（Ｙ軸方向）及び左右方向（Ｘ軸方向）において、特定の列数に限定されるものではない。
【００２４】
突設部８４は、円柱状に形成されており、図６に示すように、板部８１に対して直角方向に突出し、板部８１のレンズ８２が配置されている側の面からレンズ８２と同じ方向へ突出する。突設部８４の板部８１に対する直角方向の突出長さは、レンズ８２の板部８１に対する直角方向の突出長さよりも大きい。また、突設部８４の板部８１に対する直角方向の突出長さは、レンズ固定部８３の板部８１に対する直角方向の突出長さよりも大きい。なお、突設部８４の板部８１に対する直角方向の突出長さは、レンズ固定部８３の板部８１に対する直角方向の突出長さよりも大きいことが望ましいが、レンズ固定部８３の板部８１に対する直角方向の突出長さ以下であってもよい。突設部８４は、図４に示すように、発光基板７０側からみた平面視で、板部８１の左右方向（Ｘ軸方向）の中央部分において奥行方向（Ｙ軸方向）に沿って、複数設けられている。さらに、突設部８４は、発光基板７０側からみた平面視で、板部８１の左右方向（Ｘ軸方向）の中央部分に配列された突設部８４と平行に、複数の突設部８４の列が設けられている。なお、図４では、レンズユニット８０に１１箇所の突設部８４が形成されているが、突設部８４の形成数は、レンズユニット８０の大きさなどによって異なり、１０箇所以下であってもよく、１２箇所以上であってもよい。
【００２５】
脚部８５は、板部８１の角部において、レンズ８２が配置されている側の面からレンズ８２の突出方向と同じ方向へ突出している。脚部８５の板部８１に対する直角方向の突出長さは、レンズ固定部８３の板部８１に対する直角方向の突出長さよりも大きい。なお、脚部８５の板部８１に対する直角方向の突出長さは、レンズ固定部８３の板部８１に対する直角方向の突出長さよりも大きいことが望ましいが、レンズ固定部８３の板部８１に対する直角方向の突出長さ以下であってもよい。脚部８５の端部には段差部８５ａが形成されている。レンズユニット８０が発光基板７０を覆うように取り付けられた状態において、段差部８５ａは基板部７２の角の外周縁を囲むように形成されている。
【００２６】
図８は、図４に示すレンズユニット８０のＡ−Ａ線部分における、発光基板７０、ケーブルブッシュ７４、レンズユニット８０及びヒートシンク５０の断面図である。図８は、照明器具１が組み立てられた状態であり、発光基板７０、ケーブルブッシュ７４、レンズユニット８０がヒートシンク５０に取り付けられており、電線３２がコネクタ７３に接続されている状態である。また、レンズユニット８０をカバー９０が覆っている状態である。図２〜図５、図８を用いて膨出部８６について説明する。膨出部８６は、図８に示すように、板部８１のレンズ８２が配置されている側と反対側の表面部８１ｄからカバー９０側に膨出している部分である。膨出部８６は、板部８１において、基板部７２の貫通孔７２ｂと対向する位置に形成されている。また、膨出部８６は、電線３２及びケーブルブッシュ７４と対向する位置に形成されている。膨出部８６は、板部８１の発光基板７０側の面が開口している凹み形状に形成されている。この膨出部８６の凹み側は、発光基板７０の貫通孔７２ｂと対向するように設けられている。また、膨出部８６の先端に位置する底面部８６ｂのカバー９０に面する側は、平坦状に形成されている。膨出部８６は、板部８１からカバー９０側に膨出しているため、発光基板７０の基板部７２と膨出部８６の底面部８６ｂとの間の距離Ｌ１が、レンズ８２が配置されている部分の基板部７２と板部８１との間の距離Ｌ２よりも大きくなっている。図８に示すように、発光基板７０の基板部７２に形成された貫通孔７２ｂから発光基板７０とレンズユニット８０との間に突出した電線３２は、膨出部８６内に配置されている。膨出部８６は、電線３２を収容して覆うことで、発光基板７０のコネクタ７３に電線３２が接続した状態において、電線３２がカバー９０に影となってあらわれないように、また透けてみえないように電線３２の存在を隠している。なお、発光基板７０の側から見た平面視において、ケーブルブッシュ７４は、図４及び図８に示すように、膨出部８６内に配置されている。
【００２７】
膨出部８６は、図８に示すように、板部８１の表面部８１ｄと、膨出部８６の先端に位置する底面部８６ｂとのカバー９０側の接続面８６ｃは曲面状に形成されている。また、膨出部８６は、図８に示すように、板部８１に鉛直な断面形状において、板部８１の表面部８１ｄと、膨出部８６の先端に位置する底面部８６ｂとの間に位置する角部８６ｄがＲ形状に形成されている。すなわち、また、膨出部８６は、板部８１に鉛直な断面形状において、板部８１の表面部８１ｄと、膨出部８６の先端に位置する底面部８６ｂとの間に位置する角部８６ｄが面取りされており、曲線状に形成されている。
【００２８】
膨出部８６は、カバー９０側から見た平面視において、多角形状に形成されており、膨出部８６の外縁を形成する各辺が接する角部８６ｅは、Ｒ形状に形成されている。すなわち、膨出部８６は、カバー９０側から見た平面視において、多角形状に形成されており、膨出部８６の外縁を形成する各辺が接する角部８６ｅは、曲線状に形成されている。また、膨出部８６は、多角柱状に形成されており、各面が接する角部８６ｅ及び角部８６ｄは曲面状に形成されている。なお、膨出部８６は、平面視で外縁が十字状に形成されているが、レンズ８２の配光を遮らない形状であれば、膨出部８６の外縁が円形状に形成されてもよく、あるいは、矩形等他の多角形状に形成されてもよい。また、膨出部８６は、底面部８６ｂを有しているが、底面部８６ｂが小さく形成され、板部８１に鉛直な断面形状において、円弧状に形成されてもよい。
【００２９】
（カバー９０）
カバー９０は、一面が開口した箱形状あり、図６及び図７に示すように、発光基板７０及びレンズユニット８０を覆うようにヒートシンク５０に取り付けられている。カバー９０は、ヒートシンク５０にねじなどにより直接取り付けされている箇所と、バックアップとして中間支柱４２のカバー保持部４２ａを介して取り付けされている箇所とを有している。カバー９０は、レンズユニット８０及び発光基板７０を覆うことで、レンズユニット８０及び発光基板７０を物理的に保護する。
【００３０】
（電線３２）
電線３２は、発光基板７０に電力を供給するものである。電線３２は、一端が電源装置３０に接続され、他端が発光基板７０に設けられたコネクタ７３に接続されている。電線３２は、電源装置３０とコネクタ７３との間で、天板２０の主板部２１に形成された天板電源孔２１ａと、ヒートシンク５０のベース５２に形成されたベース電源孔５２ｂと、発光基板７０の貫通孔７２ｂとに挿通されている。電線３２は、基板部７２に形成された貫通孔７２ｂから突出して、発光基板７０とレンズユニット８０との間に配置される。
【００３１】
（ケーブルブッシュ７４）
ケーブルブッシュ７４は、電線３２を発光基板７０の基板部７２に固定する。ケーブルブッシュ７４、ベース電源孔５２ｂと、貫通孔７２ｂとに挿通されて配置される。ケーブルブッシュ７４には、電線３２が挿し込まれ、電線３２は、ケーブルブッシュ７４を上下方向に貫通して配置されている。ケーブルブッシュ７４は、コネクタ７３と干渉しないように取り付けられる。
【００３２】
（固定部材８７）
固定部材８７は、レンズユニット８０とヒートシンク５０との間に発光基板７０を配置して、レンズユニット８０をヒートシンク５０のベース５２に固定するものである。固定部材８７は、例えば、ねじである。固定部材８７は、図６に示すように第一固定部８７ａと、第二固定部８７ｂと、第三固定部８７ｃとを一体に有している。第一固定部８７ａ及び第二固定部８７ｂは、円柱状に形成されている。第三固定部８７ｃは、ねじの頭部分となり、例えば、なべ、丸等のようなねじの頭部形状を有している。固定部材８７は、第一固定部８７ａの直径よりも第二固定部８７ｂの直径が大きく、第二固定部８７ｂの直径よりも第三固定部８７ｃの直径が大きく形成されている。固定部材８７は、レンズユニット８０と、ヒートシンク５０と、発光基板７０とを組み合わせてこれらを固定した際に、第一固定部８７ａがベース固定孔５２ａと嵌め合って係合する。そして、固定部材８７の第二固定部８７ｂは第二筒孔部８３ｂ２内に配置されるとともに端面８７ｂ１が発光基板７０と当接する。また固定部材８７の第三固定部８７ｃは、第一筒孔部８３ｂ１に配置され、第一筒孔部８３ｂ１の底面８３ｃと当接する。第三固定部８７ｃには、ドライバーなどの工具が挿し込まれる切り込みが形成されている。なお、固定部材８７は、第一固定部８７ａ、第二固定部８７ｂ、第三固定部８７ｃを一体に形成した形状に関して説明をおこなったが、これらは別々の部材を組み合わせたものでもよい。例えば、固定部材８７は、第一固定部８７ａと第三固定部８７ｃとの役割をなすネジに第二固定部８７ｂの役割をなす筒状部分を組み合わせてもよい。また、第二固定部８７ｂをベース５２に設けてもよい。たとえば、ベース固定孔５２ａの縁部分をバーリング加工などで筒状に立ち上がるようにしてもよく、筒状部材をベース５２に溶接してもよい。これらの場合、加工又は溶接された筒状部分の長さが、第二筒孔部８３ｂ２より長ければよい。
【００３３】
レンズユニット８０及び発光基板７０が固定部材８７によりヒートシンク５０に取り付けられると、固定部材８７の第一固定部８７ａがベース固定孔５２ａに螺合する。固定部材８７の第一固定部８７ａをベース固定孔５２ａに螺合させることで、発光基板７０とレンズユニット８０とをヒートシンク５０に簡単に取り付けることができる。このとき、発光基板７０は、第二固定部８７ｂの端面８７ｂ１によってベース５２側に押圧されている。また、このときレンズユニット８０は、突設部８４及び脚部８５が基板部７２に当接しているが、レンズ固定部８３は基板部７２に当接しない。
【００３４】
以上のように、照明器具１は、板部８１が、貫通孔７２ｂと対向する位置において、レンズ８２が配置されている側と反対側の面からカバー９０側に膨出する膨出部８６を有し、電線３２が、膨出部８６内に配置されているものである。膨出部８６は、電線３２を収容して覆うことで、電線３２はレンズ８２の上に配置されず、電線３２がカバー９０に影となってあらわれないように、また透けてみえないように電線３２の存在を隠している。その結果、照明器具１は、カバー９０に光ムラが生じることを抑制することができる。また、レンズ８２によって光が拡散し、膨出部８６内に配置された電線３２の影及びムラが生じることを抑制することができる。また、膨出部８６は、板部８１からレンズ８２の突出方向とは反対方向へ膨出しており、発光基板７０の基板部７２と、膨出部８６の底面部８６ｂとの間に内部空間が形成されている。そのため、この内部空間に配置される電線３２は、電線３２への負荷を抑制して曲げることができる。
【００３５】
また、照明器具１は、発光基板７０の側から見た平面視において、ケーブルブッシュ７４が、膨出部８６内に配置されている。ケーブルブッシュ７４が、膨出部８６内に配置されていることで、膨出部８６の底面部８６ｂは、ケーブルブッシュ７４と距離をとることができ、ケーブルブッシュ７４がカバー９０に影及びムラとしてあらわるのを抑制することができる。また、レンズ８２によって光が拡散し、膨出部８６内に配置されたケーブルブッシュ７４の影及びムラが生じることを抑制することができる。
【００３６】
また、膨出部８６は、板部８１の表面部８１ｄと、膨出部８６の先端に位置する底面部８６ｂとのカバー９０側の接続面８６ｃが曲面状に形成されている。そのため、照明器具１は、膨出部８６が、レンズ８２から膨出部８６方向に配光された光を遮らないようにしている。その結果、照明器具１は、レンズ８２によって光が拡散し、膨出部８６内に配置された電線３２の影及びムラが生じることを抑制することができる。
【００３７】
また、膨出部８６は、板部８１に鉛直な断面形状において、板部８１の表面部８１ｄと、膨出部８６の先端に位置する底面部８６ｂとの間に位置する角部８６ｄがＲ形状に形成されている。そのため、照明器具１は、膨出部８６が、レンズ８２から膨出部８６方向に配光された光を遮らないようにしている。その結果、照明器具１は、レンズ８２によって光が拡散し、膨出部８６内に配置された電線３２の影及びムラが生じることを抑制することができる。
【００３８】
また、膨出部８６は、カバー９０側から見た平面視において、多角形状に形成されており、膨出部８６の外縁を形成する各辺が接する角部８６ｅは、Ｒ形状に形成されている。そのため、照明器具１は、膨出部８６が、レンズ８２から膨出部８６方向に配光された光を遮らないようにしている。その結果、照明器具１は、レンズ８２によって光が拡散し、膨出部８６内に配置された電線３２の影及びムラが生じることを抑制することができる。
【符号の説明】
【００３９】
１  照明器具、１０  アーム、１１  固定面部、１１ａ  固定孔、１２  支持部、１２ａ  先端部、１２ｂ  軸穴、１２ｃ  弧状穴、２０  天板、２１  主板部、２１ａ  天板電源孔、２２  立上部、３０  電源装置、３１  ケース、３２  電線、４０  支柱枠組、４１  Ｈ型支柱、４２  中間支柱、４２ａ  カバー保持部、４２ｂ  天板保持部、５０  ヒートシンク、５１  放熱フィン、５２  ベース、５２ａ  ベース固定孔、５２ｂ  ベース電源孔、６０  落下防止ワイヤー、６１  ワイヤー、６２  取付部、７０  発光基板、７１  発光部、７２  基板部、７２ａ  固定孔、７２ｂ  貫通孔、７３  コネクタ、７４  ケーブルブッシュ、８０  レンズユニット、８１  板部、８１ｄ  表面部、８２  レンズ、８２ａ  凹部、８２ａ１  第一入光面、８２ａ２  第二入光面、８２ｂ１  先端部、８２ｂ２  基部、８２ｂ３  中間部、８２ｃ  底面部、８３  レンズ固定部、８３ａ  円筒部、８３ｂ１  第一筒孔部、８３ｂ２  第二筒孔部、８３ｃ  底面、８４  突設部、８５  脚部、８５ａ  段差部、８６  膨出部、８６ｂ  底面部、８６ｃ  接続面、８６ｄ  角部、８６ｅ  角部、８７  固定部材、８７ａ  第一固定部、８７ｂ  第二固定部、８７ｂ１  端面、８７ｃ  第三固定部、９０  カバー。
【図１】
2019133754.tif 000003
【図２】
2019133754.tif 000004
【図３】
2019133754.tif 000005
【図４】
2019133754.tif 000006
【図５】
2019133754.tif 000007
【図６】
2019133754.tif 000008
【図７】
2019133754.tif 000009
【図８】
2019133754.tif 000010